(57)【要約】【課題】内部に収納されている物品の特徴や性能等を、直感的にわかりやすく且つ省スペースで表示可能なパッケージを提供すること。【解決手段】本発明のパッケージ１は、複数の吸収性物品２を内部に収納し、陳列時に正面となるパッケージ１の外面７に、ホログラム４０が表示されている。ホログラム４０を一方から見たときに見える第１画像と、他方から見たときに見える第２画像とは、吸収性物品２の特徴や性能を、状態の変化の前後を示す。このように吸収性物品２の特徴や性能が状態の変化を示す２つの画像で動画的に示されているので、直感的に理解しやすい。【選択図】図１
2014125249.tif 000002
【特許請求の範囲】
【請求項１】
吸収性物品を収納するパッケージであって、
前記パッケージの外面に、ホログラムが表示され、
前記ホログラムは、前記吸収性物品又は前記パッケージの特徴や性能を示す画像であり、一方から見たときと他方から見たときとで、前記吸収性物品又は前記パッケージにおける異なる状態を示していること、
を特徴とするパッケージ。
【請求項２】
前記ホログラムは、
前記一方から見たときに前記吸収性物品又は前記パッケージの使用前の状態を示し、
前記他方から見たときに前記吸収性物品又は前記パッケージの使用時、使用中又は使用後の状態を示すことにより、
前記吸収性物品又は前記パッケージの使用方法又は交換時期を視覚的に認知させる機能を有すること、
を特徴とする請求項１に記載のパッケージ。
【請求項３】
前記ホログラムは、
前記一方から見たときに前記吸収性物品又は前記パッケージの通常の状態を示し、
前記他方から見たときに前記吸収性物品又は前記パッケージが特徴的な変化をしたときの状態を示すことにより、
前記吸収性物品又は前記パッケージの特徴を視覚的に認知させる機能を有すること、
を特徴とする請求項１に記載のパッケージ。
【請求項４】
吸収性物品を収納するパッケージであって、
前記パッケージの外面に、ホログラムが表示され、
前記ホログラムは、一方から見たときに前記吸収性物品の特徴や機能を視覚的に示し、
他方から見たときに前記パッケージに表示が義務付けられている情報を示すこと、
を特徴とするパッケージ。
【請求項５】
前記ホログラムは、真贋判定としての機能を有すること、
を特徴とする請求項１から４のいずれか１項に記載のパッケージ。
【発明の詳細な説明】
【技術分野】
【０００１】
本発明は、内部に複数の吸収性物品を収容するパッケージに関する。
【背景技術】
【０００２】
従来、吸収性物品のパッケージの外面に、商品名や装飾用の絵や写真等が表示されているものがある（例えば特許文献１参照）。さらに、パッケージの外面に、内部に収納されている物品の特徴や性能を示す文字や図柄等が表示されているものもある。
【先行技術文献】
【特許文献】
【０００３】
【特許文献１】特開２０１２−６６８３９号公報
【発明の概要】
【発明が解決しようとする課題】
【０００４】
吸収性物品は、柔軟であって形状が固定されていないため、その特徴や性能等の説明は、複数の画像で表示したほうが直感的にわかりやすい。しかし、表示スペースは限られているため、複数画像を表示できず、十分な説明ができない場合がある。
また、吸収性物品の使用者は、乳幼児や高齢者が多く、文字等が読めない、又は読みにくくなった年代である場合が多い。
さらに、海外等においては、教育等の問題、あるいは母国語でない言語で表示されているために、文字が読めない人々が吸収性物品を購入又は使用する可能性がある。
【０００５】
本発明は、内部に収納されている吸収性物品の特徴や性能等を、乳幼児や高齢者、または文字が読めない者に対しても、直感的にわかりやすく且つ省スペースで表示可能なパッケージを提供することを目的とする。
【課題を解決するための手段】
【０００６】
本発明は、吸収性物品を収納するパッケージであって、前記パッケージの外面に、ホログラムが表示され、前記ホログラムは、前記吸収性物品又は前記パッケージの特徴や性能を示す画像であり、一方から見たときと他方から見たときとで、前記吸収性物品又は前記パッケージにおける異なる状態を示すパッケージに関する。
【０００７】
前記ホログラムは、前記一方から見たときに前記吸収性物品又は前記パッケージの使用前の状態を示し、前記他方から見たときに前記吸収性物品又は前記パッケージの使用時、使用中又は使用後の状態を示すことにより、前記吸収性物品又は前記パッケージの使用方法又は交換時期を視覚的に認知させる機能を有していてもよい。
【０００８】
前記ホログラムは、前記一方から見たときに前記吸収性物品又は前記パッケージの通常の状態を示し、前記他方から見たときに前記吸収性物品又は前記パッケージが特徴的な変化をしたときの状態を示すことにより、前記吸収性物品又は前記パッケージの特徴を視覚的に認知させる機能を有していてもよい。
【０００９】
また、本発明は、吸収性物品を収納するパッケージであって、前記パッケージの外面に、ホログラムが表示され、前記ホログラムは、一方から見たときに前記吸収性物品の特徴や機能を視覚的に示し、他方から見たときに前記パッケージに表示が義務付けられている情報を示すこと、を特徴とするパッケージに関する。
【００１０】
前記ホログラムは、真贋判定としての機能を有していてもよい。
【発明の効果】
【００１１】
本発明によれば、内部に収納されている物品の特徴や性能等を、直感的にわかりやすく且つ省スペースで表示可能なパッケージを提供することができる。
【図面の簡単な説明】
【００１２】
【図１】本実施形態にかかるパッケージを示した図である。
【図２】パッケージの内部に収納されているおむつを示した図であり、（ａ）はおむつを展開した図、（ｂ）は尿が吸収された状態を示した図である。
【図３】第１実施形態におけるホログラム画像を示したものであり、（ａ）はホログラムを一方から見たときに見える第１画像で、（ｂ）はホログラムを他方から見たときに見える第２画像である。
【図４】第２実施形態におけるホログラム画像を示したものであり、（ａ）はホログラムを一方から見たときに見える第１画像で、（ｂ）はホログラムを他方から見たときに見える第２画像である。
【図５】第３実施形態におけるホログラム画像を示したものであり、（ａ）はホログラムを一方から見たときに見える第１画像で、（ｂ）はホログラムを他方から見たときに見える第２画像である。
【図６】第４実施形態におけるホログラム画像を示したものであり、（ａ）はホログラムを一方から見たときに見える第１画像で、（ｂ）はホログラムを他方から見たときに見える第２画像である。
【図７】第５実施形態におけるホログラム画像を示したものであり、（ａ）（ｃ）はホログラムを一方から見たときに見える第１画像で、（ｂ）（ｄ）はホログラムを他方から見たときに見える第２画像である。
【図８】第６実施形態におけるホログラム画像を示したものであり、（ａ）はホログラムを一方から見たときに見える第１画像で、（ｂ）はホログラムを他方から見たときに見える第２画像である。
【図９】第７実施形態におけるホログラム画像を示したものであり、（ａ）はホログラムを一方から見たときに見える第１画像で、（ｂ）はホログラムを他方から見たときに見える第２画像である。
【図１０】第８実施形態におけるホログラム画像を示したものであり、（ａ）はホログラムを一方から見たときに見える第１画像で、（ｂ）はホログラムを他方から見たときに見える第２画像である。
【発明を実施するための形態】
【００１３】
（第１実施形態）
以下、本発明の好ましい実施形態につき図面を参照しながら説明する。
図１は第１実施形態にかかるパッケージ１を示した図である。本実施形態のパッケージ１は、図示するように、折り畳まれた複数のおむつ２が収納されている。
パッケージ１は、四角の筒状体における、対向する左右の縁部を内側に折り込んで、ガゼット部３（マチ）を形成し、その状態で前後の縁部を合わせて、縁部の端部から所定長さの部分を、ヒートシール４で接着することにより形成されたものである。
【００１４】
パッケージ１は、ヒートシール４で接着された上面５及び下面６と、前面７及び後面８と、右面９及び左面１０と、上面に形成された把持部１１と、を備える。前面７は、パッケージ１が販売のために陳列された状態において、購買者側に向く面である。
【００１５】
パッケージ１は、ポリエチレン、ポリプロピレン、ポリエチレンテレフタレート等の熱可塑性合成樹脂フィルム又はシート、ないしはこれらの積層体で、厚みが５０から１００μｍの範囲のものにより形成される。
【００１６】
図２は、パッケージ１の内部に収納されているおむつ２を示した図である。これに限定されるわけではないが、本実施形態のおむつ２は、開放型（いわゆるパンツ型でない）の使い捨ておむつである。
【００１７】
図２（ａ）に示すように、おむつ２は、長手方向（装着時の前後方向）に沿って、前側から前胴周域２１、股下域２２及び後胴周域２３を有するシャーシ３０を備える。後胴周域２３の左右両側には、おむつ２を装着する際に前胴周域２１に固定するためのサイドテープ３８が設けられている。
そしてシャーシ３０は、肌当接側の表面シート３１、着衣当接側の裏面シート３２、それら表裏面シート３１，３２の間に介在する吸収体３３、脚周りに形成されるギャザー部３４、およびギャザー部３４より内側において前胴周域２１、股下域２２及び後胴周域２３にわたって略直線状に延び、且つその延在方向に沿った弾性部材が配置されている防漏カフ３を備える。
【００１８】
図２（ａ）はおむつ２を展開した図（防漏カフ３５の弾性部材が収縮していない状態）である。図２（ｂ）は、サイドテープ３８は固定されていないが、実際に装着している状態に近い状態で、防漏カフ３５は、弾性部材が収縮することによって立設する。そして、尿が排泄されると、シャーシ３０の吸収体３３は液体を吸収し、図２（ｂ）に示すように膨張する。
【００１９】
図１に戻り、本実施形態においては、パッケージ１の前面にホログラム４０が印刷されている。ホログラム４０は、表側に自然光があたれば観察できるレインボーホログラムや、白色光反射型ホログラム等である。なお、本実施形態ではホログラム４０はパッケージ１の表面に印刷されているものとして説明するが、これに限定されず、ホログラム４０はシール状になっていてパッケージ１に貼着するものであってもよい。
【００２０】
図３はホログラム４０に印刷されている画像の一例を示したものである。図３（ａ）はホログラム４０を一方から見たときに見える第１画像で、図２（ａ）に対応し、さらに上部に水の入ったコップの絵が描かれている。図３（ｂ）はホログラムを他方から見たときに見える第２画像であり、図２（ｂ）に対応し、上部の水がおむつ２に注ぎ込まれている絵が描かれている。
【００２１】
（１）本実施形態においては、このように、パッケージ１の前面７にホログラム４０が印刷されている。この印刷されたホログラム４０は、一方から見える第１画像と、他方から見える第２画像とで、異なる画像が表示される。これら２つの画像は、パッケージ１内に収納されている物品（おむつ２）における、防漏カフ３５が装着時には立設するといった特徴や、コップ４杯の水を吸収可能であるという性能等を、状態の変化の前後（使用前の状態と、使用時、使用中又は使用後の状態との間の変化、又は、特徴的な変化の前後）を示すことで動画的に表している。このように、おむつ２の特徴や性能が、状態の変化の前後を示す２つの画像で動画的に示されているので、直感的（視覚的）に、理解（認知）しやすい。
【００２２】
（２）また、ホログラムを用いることで、異なる方向から見たときに異なる画像が表示させるので、購買者の興味を惹きやすい。
（３）さらに、状態の変化の前後を示す２つの画像を同じ位置で示すことが出来るので、多くの情報を省スペースで表示することが出来る。
（４）おむつ等の吸収性物品は、柔軟であって形状が固定されていないため、その特徴や性能等の説明を文字で説明するのは難しい。本実施形態によると、おむつの性能が複数の画像で表示されているため、直感的にわかりやすい。
【００２３】
（５）また、おむつ等の吸収性物品の使用者は、乳幼児や高齢者が多く、文字等が読めない、又は読みにくくなった年代である場合が多い。さらに、海外等においては、教育等の問題、あるいは母国語でない言語で表示されているために、文字が読めない人々が吸収性物品を購入又は使用する可能性がある。本実施形態によると、内部に収納されている吸収性物品の特徴や性能等を、乳幼児や高齢者、または文字が読めない者に対しても、直感的にわかりやすく且つ省スペースで表示可能なパッケージを提供することができる。
【００２４】
（６）ホログラムは、製造に技術が必要なため簡単に模倣できない。このため、パッケージにホログラムが用いられている場合、模倣がしにくくなる。したがって、真正品かどうかの真贋判定が容易になる。
さらに、製品に関する隠し識別番号や隠し画像をホログラムに記録することにより、より精度の高い真贋判定を行うことが出来る。
また、パッケージ１が外見上、真正品とそっくりに作られていても中身が異なる模倣品が市場に出回っている場合がある。しかし、ホログラムの隠し識別番号や隠し画像をホログラムに記録することにより、パッケージの外側から真正品か否かを判断することで、中身を開けることなく、真贋判定が可能となる。
（７）ホログラム印刷でのアイコンがパッケージ１にあればアイキャッチ効果が期待でき、新製品として特に強調したい特徴だけを表示することができる。
【００２５】
（第２実施形態）
第２実施形態は第１実施形態とホログラム４０として印刷されている画像が異なる。パッケージ１自体の構成は同様であるので、同様な部分の説明は省略する。
図４は、第２実施形態におけるホログラム画像を示したものであり、（ａ）はホログラム４０を一方から見たときに見える第１画像で、（ｂ）はホログラ４０ムを他方から見たときに見える第２画像である。
【００２６】
本実施形態のおむつ２は、図２に示した後胴周域２３の側部が胴回り方向に伸縮可能という特徴を有する。
そして、このおむつ２が収納されているパッケージ１に印刷されているホログラム４０は、一方から見たときには、図４（ａ）に示すように、後胴周域２３の側部が伸縮していない状態が見え、ホログラム４０を他方から見たときには、図４（ｂ）に示すように、後胴周域２３の側部が伸縮した状態が見えるようになっている。
【００２７】
本実施形態においても、パッケージ１の前面にホログラム４０が印刷されている。この印刷されたホログラム４０も、後胴周域２３の側部が胴回り方向に伸縮可能となっているという特徴や性能等を、伸縮前後の状態の変化（使用前の状態と、使用時、使用中又は使用後の状態との間の変化、又は、特徴的な変化）を示すことで動画的に表している。このように、おむつ２の特徴や性能が、状態の変化の前後を示す２つの画像で動画的に示されているので、直感的（視覚的）に、理解（認知）しやすい。
【００２８】
（第３実施形態）
第３実施形態は第１実施形態とホログラム４０として印刷されている画像が異なる。パッケージ１自体の構成は同様であるので、同様な部分の説明は省略する。
図５は、第３実施形態におけるホログラム画像を示したものであり、（ａ）はホログラム４０を一方から見たときに見える第１画像で、（ｂ）はホログラ４０ムを他方から見たときに見える第２画像である。
【００２９】
本実施形態のおむつ２は、パンツ型のおむつ２であり、おむつ２の側部が伸縮可能という特徴を有する。
そして、このおむつ２が収納されているパッケージ１に印刷されているホログラム４０は、一方から見たときには、図５（ａ）に示すように、おむつ２の側部が伸縮していない状態が見え、ホログラム４０を他方から見たときには、図４（ｂ）に示すように、おむつ２の側部が伸縮した状態が見えるようになっている。
【００３０】
本実施形態においても、パッケージ１の前面にホログラム４０が印刷されている。この印刷されたホログラム４０も、おむつ２の側部が伸縮可能となっているという特徴や性能等を、伸縮前後の状態の変化（使用前の状態と、使用時、使用中又は使用後の状態との間の変化、又は、特徴的な変化）を示すことで動画的に表している。このように、おむつ２の特徴や性能が、状態の変化の前後を示す２つの画像で動画的に示されているので、直感的（視覚的）に、理解（認知）しやすい。
【００３１】
（第４実施形態）
第４実施形態はタンポンを収納する箱型パッケージに印刷されているホログラム４０である。
図６は、第４実施形態におけるホログラム画像を示したものであり、（ａ）はホログラム４０を一方から見たときに見える第１画像で、（ｂ）はホログラ４０ムを他方から見たときに見える第２画像である。
【００３２】
本実施形態のタンポンは、８本のラインが女性の体に合うように円形に広がって隙間を作らずぴったりフィットし、経血をしっかり吸収するという特徴を有する。
そして、このタンポンが収納されているパッケージ１に印刷されているホログラム４０は、一方から見たときには、図６（ａ）に示すように、使用前の広がっていない状態が見え、ホログラム４０を他方から見たときには、図６（ｂ）に示すように、タンポンが経血を吸収して広がった状態が見えるようになっている。
【００３３】
本実施形態においても、パッケージ１の表面にホログラム４０が印刷されている。この印刷されたホログラム４０は、タンポンの使用前の広がっていない状態と、経血を吸収して広がった状態という状態の変化の前後（使用前の状態と、使用時、使用中又は使用後の状態との間の変化、又は、特徴的な変化の前後）を示すことで動画的に表している。このように、タンポンの特徴や性能が、状態の変化の前後を示す２つの画像で動画的に示されているので、直感的（視覚的）に、理解（認知）しやすい。
【００３４】
（第５実施形態）
第５実施形態もおむつ２のパッケージ１に印刷されているホログラム４０である。パッケージ１自体の構成は同様であるので、同様な部分の説明は省略する。
図７は、第５実施形態においてホログラム４０として印刷されている画像を示したものである。
図７（ａ），（ｂ）は男の子用おむつ２のパッケージ１に印刷されているホログラム４０であり、図７（ａ）は一方からみたときに見える第１画像、図７（ｂ）は他方からみたときに見える第２画像である。
図７（ｃ），（ｄ）は女の子用おむつ２のパッケージ１に印刷されているホログラム４０であり、図７（ｃ）は一方からみたときに見える第１画像、図７（ｄ）は他方からみたときに見える第２画像である。
【００３５】
本実施形態のおむつ２は、男の子用おむつの場合、おしっこをすると泣いたクマの絵が前面にくっきり浮き出るようになっており、女の子用おむつの場合、おしっこをすると泣いたウサギの絵が前面にくっきり浮き出るようになっているという特徴を有する。
そして、このおむつ２が収納されているパッケージ１に印刷されているホログラム４０は、一方から見たときには、図７（ａ），（ｃ）に示すように、輪郭だけが見え、ホログラム４０を他方から見たときには、図７（ｂ），（ｄ）に示すように、泣いたクマやウサギの絵が見えるようになっている。
【００３６】
本実施形態においても、パッケージ１の前面にホログラム４０が印刷されている。この印刷されたホログラム４０も、おしっこで濡れるとおむつ前面の状態の絵が変化するといった特徴や性能等を、状態の変化の前後（使用前の状態と、使用時、使用中又は使用後の状態との間の変化、又は、特徴的な変化の前後）を示すことで動画的に表している。このように、おむつ２の特徴や性能が、状態の変化の前後を示す２つの画像で動画的に示されているので、直感的（視覚的）に、理解（認知）しやすい。
【００３７】
（第６実施形態）
第６実施形態はウエットティッシュのパッケージ（又はパッケージのさらに外周を覆う外装袋）にホログラム４０を印刷したものである。
図８は、第６実施形態におけるホログラム画像を示したものであり、（ａ）はホログラム４０を一方から見たときに見える第１画像で、（ｂ）はホログラ４０ムを他方から見たときに見える第２画像である。
【００３８】
本実施形態のウエットティッシュのパッケージは、箱型であって、上部の開封口に開封用シールが設けられている。このシールは、所定のラインまで引っ張って開けるとシールが保持されて戻らないという特徴を有する。
そして、ウエットティッシュのパッケージに印刷されているホログラム４０は、一方から見たときには、図８（ａ）に示すように、開封用シールが閉じた状態が見え、ホログラム４０を他方から見たときには、図８（ｂ）に示すように、開封用シールが開き、その開いた部分がパッケージ表面に貼着されて保持された状態で保たれるようになっている。
【００３９】
本実施形態においても、ウエットティッシュのパッケージの表面や側面にホログラム４０が印刷されている。この印刷されたホログラム４０も、開封用シールを開くと、その開いた部分がパッケージ表面に貼着して保持された状態で保たれるようになっているという特徴や性能等を、状態の変化の前後（使用前の状態と、使用時、使用中又は使用後の状態との間の変化、又は、特徴的な変化の前後）を示すことで動画的に表している。このように、ウエットティッシュのパッケージの特徴や性能が、状態の変化の前後を示す２つの画像で動画的に示されているので、直感的（視覚的）に、理解（認知）しやすい。
【００４０】
（第７実施形態）
第７実施形態もウエットティッシュのパッケージ（又はパッケージのさらに外周を覆う外装袋）にホログラム４０を印刷したものである。
図９は、第７実施形態におけるホログラム画像を示したものであり、（ａ）はホログラム４０を一方から見たときに見える第１画像で、（ｂ）はホログラ４０ムを他方から見たときに見える第２画像である。
【００４１】
本実施形態のウエットティッシュは、パッケージの上部の開閉蓋が、パッケージに設けられた押圧部を指で押すと瞬時に開く、という特徴を有する。
そして、ウエットティッシュのパッケージに印刷されているホログラム４０は、一方から見たときには、図９（ａ）に示すように、開閉蓋が閉じた状態が見え、ホログラム４０を他方から見たときには、図９（ｂ）に示すように、開閉蓋が開いた状態が見えるようになっている。
【００４２】
本実施形態においても、ウエットティッシュのパッケージの表面や側面にホログラム４０が印刷されている。この印刷されたホログラム４０も、押圧部を押すと瞬時に開くという特徴や性能等を、状態の変化の前後を示すことで動画的に表している。このように、ウエットティッシュのパッケージの特徴や性能が、状態の変化の前後（使用前の状態と、使用時、使用中又は使用後の状態との間の変化、又は、特徴的な変化の前後）を示す２つの画像で動画的に示されているので、直感的（視覚的）に、理解（認知）しやすい。
【００４３】
（第８実施形態）
第８実施形態は第１実施形態とホログラム４０として印刷されている画像のみ異なる。パッケージ１自体の構成は同様である。
図１０は、第８実施形態におけるホログラム画像を示したものであり、（ａ）はホログラム４０を一方から見たときに見える第１画像で、（ｂ）はホログラ４０ムを他方から見たときに見える第２画像である。
本実施形態では、図１０（ａ）で示すように、ホログラム４０を一方から見た場合、例えば、おむつが優れた通気性を有するという特徴や性能を示すために、おむつ２を空気が通っている状態を、おむつ２を突き抜ける矢印で示した図が表示されている。
図１０（ｂ）で示すように、ホログラム４０を他方から見た場合、パッケージに表示が義務付けられている情報、例えば「使用上の注意」等が表示される。
【００４４】
ここで、特徴や性能を示す画像は、パッケージ１を陳列したときにはおむつ２の特徴や性能を示す画像が購買者に見えるようになっている。
また、パッケージに表示が義務付けられている情報（例えば「使用上の注意」、「ガイドラインに基づく表示」等）は、購買者がおむつ２を内部から取り出すために場合、ミシン目１２（図１参照）を開封する際の目線の位置から見えるようになっている。
【００４５】
本実施形態によると、第１実施形態の効果に加え、さらに以下の効果を有する。
（１）表示が義務付けられている情報は、パッケージの美観を損ねる場合があるが、省略することが出来ない。しかし、本実施形態によると、パッケージを陳列したときにはおむつの特徴や性能を示す画像が購買者に見えるようになっているため、陳列時の美観を損ねることがない。
（２）また、購入後において購買者がおむつ２を実際に使用する場合には、これらの表示が義務付けられている情報が見えるようになっているため、表示義務も果たすことができる。
【符号の説明】
【００４６】
１…パッケージ
２…おむつ
３…ガゼット部
３…防漏カフ
７…前面
３０…シャーシ
３５…防漏カフ
４０…ホログラム
【図１】
2014125249.tif 000003
【図２】
2014125249.tif 000004
【図３】
2014125249.tif 000005
【図４】
2014125249.tif 000006
【図５】
2014125249.tif 000007
【図６】
2014125249.tif 000008
【図７】
2014125249.tif 000009
【図８】
2014125249.tif 000010
【図９】
2014125249.tif 000011
【図１０】
2014125249.tif 000012